(57)【要約】  均一に照明することができる照明装置及び表示装置を提供する。  発光時の発熱による光源部２４の温度は、導光板２２の周縁方向（図中左右方向）両端部夫々よりも左右方向中央部の方が高い。このため、導光板２２の周縁部における左右方向中央部は熱膨張を起こし易い。従って、導光板２２は、導光板２２の非熱膨張時（即ち照明装置の未使用時）に光源部２４から最も離隔している部分が、導光板２２の熱膨張時（即ち照明装置の使用時）に光源部２４に最も大きく接近する。故に、照明装置の使用時に、導光板２２の周面と光源部２４との離隔距離が均一になる。従って、光源部２４から導光板２２の内部への入光量が、左右方向に均一になる。この結果、照明装置による照明が左右方向に均一になる。
2015046239.tif 000002
【特許請求の範囲】
【請求項１】
内部に入射した光を一面から出射させる導光板と、
該導光板の周面に対向配置されている光源部と
を備える照明装置において、
前記光源部の非発光時には、前記光源部と前記周面との離隔距離は、前記光源部の前記導光板の周縁方向の中央部と前記周面における前記中央部に対応する部分との離隔距離が最長であることを特徴とする照明装置。
【請求項２】
前記光源部の非発光時には、前記導光板の周縁部における前記中央部に対応する部分は凹状であることを特
徴とする請求項１に記載の照明装置。
【請求項３】
前記光源部の非発光時には、前記光源部の前記周縁方向の中央部と前記周面における前記中央部に対応する部分との離隔距離は、前記周縁方向の中心部分に係る離隔距離が最長であり、該中心部分から前記周縁方向の両側に向けて連続的に又は段階的に短くなるようにしてあることを特徴とする請求項１又は２に記載の照明装置。
【請求項４】
請求項１から３の何れかひとつに記載の照明装置と、
該照明装置によって背面側から照明される表示パネルと
を備えることを特徴とする表示装置。
【発明の詳細な説明】
【技術分野】
【０００１】
本発明は、光源部が発した光を導光板の一面から出射させる照明装置及び表示装置に関する。
【背景技術】
【０００２】
液晶表示装置は、液晶表示パネルと、液晶表示パネルの背面側から液晶表示パネルを照明するバックライトユニットとを備える。
以下では、液晶表示パネルが縦姿勢で配されている場合について説明する。
従来、エッジライト方式のバックライトユニットが提案されている（特許文献１参照）。エッジライト方式のバックライトユニットは、液晶表示パネルの背面側に、光学シート群を介して矩形状の導光板を配置し、導光板の下端面に対向して、光源部を配置してなる。光源部は、左右方向に離隔配置された複数個のＬＥＤがＬＥＤ基板の一面に実装されてなる。【０００３】
光源部が発した光は、導光板の下端面を透過して導光板の内部に入射する。導光板の内部に入射した光は、導光板の正面から出射する。導光板の正面から出射した光は、光学シート群による拡散及び集光等を経て、液晶表示パネルの内部に入射する。
バックライトユニットが液晶表示パネルを均一に照明すれば、液晶表示パネルの表示領域は均一に明るくなる。【０００４】
しかしながら、各ＬＥＤと導光板との離隔距離にバラツキがあると、各ＬＥＤから導光板への入光量が不均一になる。何故ならば、導光板から遠いＬＥＤが発した光は、導光板に近いＬＥＤが発した光よりも導光板に入射し難いからである。このため、導光板の正面から光が不均一に出射し易くなる。この結果、バックライトユニットによる照明が不均一になり、延いては、液晶表示パネルの明るさが不均一になる。従って、液晶表示パネルの表示品位が低下する。【０００５】
そこで、特許文献１に記載の表示装置（文中「液晶モジュール」）は、導光板の下部を部分的にＬＥＤ基板に接触させることによって、各ＬＥＤと導光板との離隔距離を一定にしてある。このような表示装置は、導光板の位置ズレに起因する各ＬＥＤと導光板との離隔距離のバラツキを抑制することができる。
【先行技術文献】
【特許文献】
【０００６】
【特許文献１】特開２０１２−２３７８２６号公報
【発明の概要】
【発明が解決しようとする課題】
【０００７】
ところで、導光板は、光源部の発光時の発熱によって熱膨張を起こす。このとき、導光板の周縁部における光源部の高温部に近い部分は、光源部の低温部に近い部分よりも熱膨張を起こし易い。従って、ＬＥＤと導光板の周縁部における光源部の高温部に近い部分との離隔距離は、ＬＥＤと導光板の周縁部における光源部の低温部に近い部分との離隔距離よりも短くなる。この結果、各ＬＥＤと導光板との離隔距離にバラツキが生じる。
特許文献１には、導光板の熱膨張に起因する各ＬＥＤと導光板との離隔距離のバラツキを抑制するための技術事項は記載されていない。【０００８】
本発明は斯かる事情に鑑みてなされたものであり、その主たる目的は、均一に照明することができる照明装置及び表示装置を提供することにある。
【課題を解決するための手段】
【０００９】
本発明に係る照明装置は、内部に入射した光を一面から出射させる導光板と、該導光板の周面に対向配置されている光源部とを備える照明装置において、前記光源部の非発光時には、前記光源部と前記周面との離隔距離は、前記光源部の前記導光板の周縁方向の中央部と前記周面における前記中央部に対応する部分との離隔距離が最長であることを特徴とする。【００１０】
本発明に係る照明装置は、前記光源部の非発光時には、前記導光板の周縁部における前記中央部に対応する部分は凹状であることを特徴とする。【００１１】
本発明に係る照明装置は、前記光源部の非発光時には、前記光源部の前記周縁方向の中央部と前記周面における前記中央部に対応する部分との離隔距離は、前記周縁方向の中心部分に係る離隔距離が最長であり、該中心部分から前記周縁方向の両側に向けて連続的に又は段階的に短くなるようにしてあることを特徴とする。【００１２】
本発明に係る表示装置は、本発明に係る照明装置と、該照明装置によって背面側から照明される表示パネルとを備えることを特徴とする。【００１３】
本発明にあっては、光源部の非発光時、即ち導光板の非熱膨張時には、光源部と導光板の周面との離隔距離は不均一である。更に詳細には、光源部の中央部と、導光板の周面における光源部の中央部に対応する部分との離隔距離は最長である。
ここで、本明細書では、光源部の中央部／両端部とは、光源部における導光板の周縁方向（以下、単に周縁方向という）の中央部／両端部を意味する。【００１４】
光源部の発光時の発熱により、導光板は熱膨張を起こす。すると、導光板の周面は、導光板の非熱膨張時よりも、光源部に接近する。
光源部の発熱に起因する光源部の温度は、光源部の両端部夫々よりも、光源部の中央部の方が高い。このため、導光板の周面における光源部の中央部に対応する部分は熱膨張を起こし易い。故に、導光板の周面における光源部の中央部に対応する部分が熱膨張によって光源部に接近する接近量は最大である。【００１５】
換言すれば、導光板は、導光板の非熱膨張時（即ち照明装置の未使用時）に光源部から最も離隔している部分が、導光板の熱膨張時（即ち照明装置の使用時）に光源部に最も大きく接近する。故に、照明装置の使用時に、光源部と導光板の周面との離隔距離が均一になる。従って、光源部から導光板の内部への入光量が周縁方向に均一になる。この結果、照明装置による照明が周縁方向に均一になる。
つまり、照明装置の使用時における導光板の内部への入光量を周縁方向に均一にするために、照明装置の未使用時における光源部と導光板との離隔距離が敢えて周縁方向に不均一にされている。【００１６】
本発明にあっては、光源部の非発光時、即ち導光板の非熱膨張時には、導光板の周面における光源部の中央部に対応する部分は凹状である。故に、光源部と導光板との離隔距離が周縁方向に不均一になる。
つまり、導光板の非熱膨張時における導光板の形状を従来のものと異ならせることによって、導光板の内部への入光量を周縁方向に均一にすることができる。
導光板の周縁部の形状を従来のものと異ならせることは、例えば光源部の形状を従来のものと異ならせることによりも簡易である。換言すれば、照明装置は、簡易な構成で、導光板の内部への入光量を周縁方向に均一にすることができる。【００１７】
本発明にあっては、光源部の中央部と導光板の周面における光源部の中央部に対応する部分との離隔距離は、周縁方向の中心部分に係る離隔距離が最長であり、周縁方向の中心部分から周縁方向の両側に向けて連続的に又は段階的に短くなるようにしてある。このような導光板は、光源部の発熱量が周縁方向に対称である場合に特に好適である。
【発明の効果】
【００１８】
本発明の照明装置及び表示装置による場合、光源部の非発光時、即ち導光板の非熱膨張時における光源部と導光板との離隔距離を周縁方向に不均一にすることによって、導光板の内部への入光量を周縁方向に均一にすることができる。このため、照明装置による照明を周縁方向に均一にすることができる。延いては、表示パネルの表示領域の明るさを周縁方向に均一にすることができる。故に、表示パネルの表示品位を向上させることができる。
【図面の簡単な説明】
【００１９】
【図１】本発明の実施の形態１に係る表示装置の構成（導光板の左端部又は右端部）を模式的に示す縦断面図である。
【図２】表示装置の構成（導光板の左右方向中央部）を模式的に示す縦断面図である。
【図３】本発明の実施の形態１に係る照明装置としてのバックライトユニットが備える導光板及び光源部の位置関係を模式的に示す正面図である。
【図４】従来のバックライトユニットが備える導光板及び光源部の位置関係を模式的に示す正面図である。
【図５】本発明の実施の形態２に係る照明装置としてのバックライトユニットが備える導光板及び光源部の位置関係を模式的に示す正面図である。
【図６】本発明の実施の形態３に係る照明装置としてのバックライトユニットが備える導光板及び光源部の位置関係を模式的に示す正面図である。
【図７】本発明の実施の形態４に係る照明装置としてのバックライトユニットが備える導光板及び光源部の位置関係を模式的に示す正面図である。
【図８】本発明の実施の形態５に係る照明装置としてのバックライトユニットが備える導光板及び光源部の位置関係を模式的に示す正面図である。
【発明を実施するための形態】
【００２０】
以下、本発明を、その実施の形態を示す図面に基づいて詳述する。以下の説明では、図において矢符で示す上下、前後、及び左右を使用する。
【００２１】
実施の形態  １．
図１及び図２は、本発明の実施の形態１に係る表示装置１の構成を模式的に示す縦断面図である。図１及び図２には、後述する導光板２２の下辺部近傍が示されている。且つ、図１には導光板２２の左端部又は右端部が示されており、図２には導光板２２の左右方向中央部が示されている。
図３は、本発明の実施の形態１に係る照明装置としてのバックライトユニット１２が備える導光板２２及び光源部２４の位置関係を模式的に示す正面図である。
【００２２】
本実施の形態の表示装置１は、例えばテレビジョン受信機、電子看板、又は、パーソナルコンピュータ用のモニタ等として構成されている。
まず、表示装置１の構成について説明する。
表示装置１は、表示パネル１１、バックライトユニット（照明装置）１２、バックライトシャーシ１３、及びヒートシンク１４、並びに、これらを表示パネル１１の正面１１ａにおける表示領域を露出させた状態で収容する図示しないキャビネット等を備えている。
【００２３】
表示パネル１１は液晶表示パネルを用いてなる。表示パネル１１は矩形状になしてあり、縦姿勢で配されている。表示パネル１１は正面１１ａ側のガラス基板と背面１１ｂ側のガラス基板とを有する。２枚のガラス基板の間には液晶が封止されている。表示パネル１１の透光率は、表示パネル１１の液晶に印加された電圧に応じて変化する。表示パネル１１の面方向中央部は矩形状の表示領域であり、表示パネル１１の周縁部は矩形枠状の額縁領域である。
バックライトシャーシ１３は、バックライトユニット１２を収容する皿状になしてある。バックライトシャーシ１３は、皿の底面に相当する背面部と、皿の周面に相当する図示しない周面部とを有する。バックライトシャーシ１３の背面部は、縦姿勢に配された板状をなす。
【００２４】
バックライトユニット１２は、表示パネル１１とバックライトシャーシ１３の背面部との間にて、バックライトシャーシ１３及びキャビネット等によって支持されている。
バックライトユニット１２は、光学シート群２１、導光板２２、反射シート２３、及び光源部２４を有する。
【００２５】
光学シート群２１は、各矩形状の複数枚の光学シートが積層されてなる。光学シート群２１は、表示パネル１１の背面１１ｂの中央部に密着配置されている。光学シート群２１の上下左右各方向の長さは、表示パネル１１の表示領域の上下左右各方向の長さより長い。光学シート群２１は、表示パネル１１の背面１１ｂにおける表示領域を覆っている。光学シート群２１を構成している各光学シートは、光の拡散機能又は集光機能等を有する。
【００２６】
導光板２２は矩形板状になしてある。導光板２２は、例えばアクリル樹脂を用いてなる。導光板２２の左右方向の長さ（以下、横長さという）は、表示パネル１１の横長さよりも大きい。
後述する従来の導光板２２０とは異なり、導光板２２の上下方向の長さ（以下、縦長さという）は一定ではない。具体的には、導光板２２の縦長さは、左右方向中心部分における縦長さが最短であり、左右両端部における縦長さが最長である。導光板２２の最短の縦長さは、表示パネル１１の縦長さ以上の長さである。導光板２２の左右方向中央部では、左右方向中心部分から左右両側に向けて、導光板２２の縦長さは連続的に長くなる。
つまり、導光板２２の下辺部（周縁部）における左右方向中央部は、上向きの凹状になしてある。以下では、導光板２２の下辺部における凹状の部分を、凹部２２１という。凹部２２１の周縁形状は、なだらかな山状をなす。
【００２７】
なお、導光板２２の左右方向中央部における縦長さは、左右方向中心部分から左右両側に向けて、段階的に長くなる構成でもよい。
また、凹部２２１の周縁形状は、山状に限定されず、矩形状、半長円状、又は三角形状等でもよい。
【００２８】
導光板２２は、導光板２２の内部に入射した光を、導光板２２の正面（一面）２２ａから出射させる（即ち面発光する）。このために、導光板２２の背面２２ｂには、図示しない複数の反射部が設けられている。反射部は、背面２２ｂに対してシルク印刷、レーザー印刷、又は賦形等が行なわれることによって設けられる。反射部に入射した光は、正面２２ａ側へ反射する。導光板２２の内部に入射した光は、導光板２２の正面２２ａ、背面２２ｂ、又は反射部にて反射し、やがて正面２２ａを透過して導光板２２の外部へ出射する。ただし、導光板２２の内部に入射した光の一部が背面２２ｂを透過する（即ち漏光が生じる）ことがある。
【００２９】
反射シート２３は、縦長さ及び横長さが導光板２２の縦長さ及び横長さよりも長い矩形状になしてある。反射シート２３の横長さは、光源部２４の横長さと同程度である。
反射シート２３は、導光板２２の背面に密着配置されて、導光板２２の背面２２ｂを完全に被覆している。従って、導光板２２の背面２２ｂからの漏光は、反射シート２３にて反射し、再び導光板２２の内部に入射する。
【００３０】
導光板２２の下方には、ヒートシンク１４が配されている。ヒートシンク１４は、バックライトシャーシ１３によって支持されている。ヒートシンク１４に伝導した熱は、表示装置１の外部へ排出される。
ヒートシンク１４の上部には、光源部２４が配されている。光源部２４は、複数個のＬＥＤ２４１，２４１，…とＬＥＤ基板２４２とを備える。
ＬＥＤ基板２４２は、左右方向に長い横姿勢の矩形平板状になしてある。
【００３１】
ＬＥＤ２４１，２４１，…は、ＬＥＤ基板２４２の上面にて左右方向に一列に等配実装してある。ＬＥＤ２４１，２４１，…と導光板２２の下端面（周面）２２ｃとは、適長離隔して対向配置されている。
以下では、光源部２４における導光板２２の周縁方向の中央部／両端部を、光源部２４の中央部／両端部という。本実施の形態では、光源部２４の中央部／両端部は、光源部２４の左右方向（光源部２４の長手方向）の中央部／左右両端部である。
【００３２】
光源部２４の左端部より左側（又は右端部より右側）にＬＥＤ２４１は存在しない。一方、光源部２４の中央部の左右方向両側には、ＬＥＤ２４１，２４１，…が存在している。故に、光源部２４の中央部における発熱量は、光源部２４の左端部（又は右端部）における発熱量よりも多く、光源部２４の中央部の温度は、光源部２４の左端部（又は右端部）の温度よりも高い。換言すれば、光源部２４の温度は左右方向に不均一である。また、光源部２４の温度は左右対称である。
ＬＥＤ２４１，２４１，…が発した熱は、ＬＥＤ基板２４２を介してヒートシンク１４に伝導する。また、ＬＥＤ２４１，２４１，…が発した熱は、輻射、対流、又は伝導により、導光板２２に伝達される。
【００３３】
導光板２２の下端面２２ｃと光源部２４との離隔距離は、導光板２２の下端面２２ｃにおける左右方向中央部（導光板２２の周面における光源部２４の中央部に対応する部分。即ち凹部２２１の内面）と光源部２４の中央部との離隔距離が最長である。更に詳細には、凹部２２１の左右方向の中心部分に係る離隔距離が最長であり、凹部２２１の左右方向の中心部分から左右両側に向けて、離隔距離は連続的に短くなる。
【００３４】
次に、バックライトユニット１２による表示パネル１１の照明について説明する。
光源部２４が発した光は、導光板２２の下端面２２ｃを透過して導光板２２の内部に入射する。
導光板２２の内部に入射した光は、導光板２２の正面２２ａから出射する。導光板２２から出射した光は、光学シート群２１による拡散及び集光等を経て、表示パネル１１の背面１１ｂを透過し、表示パネル１１の内部に入射する。
【００３５】
以上のように、表示パネル１１は、バックライトユニット１２によって背面１１ｂ側から照明される。表示パネル１１の内部に入射した光は、表示パネル１１を透過するか、又は、表示パネル１１の通過を遮断される。この結果、表示パネル１１の表示領域に映像が表示される。
【００３６】
次に、バックライトユニット１２の作用効果を説明する。このために、まず、バックライトユニット１２と従来のバックライトユニットとの構成上の差異について説明する。
図４は、従来のバックライトユニットが備える導光板２２０及び光源部２４の位置関係を模式的に示す正面図である。
従来のバックライトユニットは、バックライトユニット１２と略同様の構成である。ただし、従来のバックライトユニットは、導光板２２に替えて、矩形状の導光板２２０を備えている。
導光板２２０の横長さは、導光板２２の横長さに等しい。
導光板２２０の縦長さは一定である。導光板２２０の縦長さは、導光板２２の上下方向の最短長さよりも長く、最長長さ以下の長さである。
【００３７】
ところで、導光板２２０を、縦長さが下方向へ0.3mm 長い導光板２２０に替えた場合、導光板２２０の面発光の輝度は10％増大する。これは、導光板２２０から光源部２４までの距離の近／遠と、導光板２２０の面発光の輝度の高／低とが相関関係にあることを示している。
つまり、光源部２４から導光板２２０までの距離が近い（又は遠い）ほど、導光板２２０の内部へ入射する光の量が多く（又は少なく）なり、導光板２２０の面発光の輝度が高く（低く）なる。
【００３８】
従来のバックライトユニットに関し、光源部２４の中央部の温度は、光源部２４の左端部（又は右端部）の温度よりも高い。
光源部２４の発光時の発熱によって導光板２２０の下辺部の温度が上昇する。このとき、導光板２２０の下辺部における左右方向中央部の温度は、導光板２２０の下辺部における左右両端部夫々の温度よりも高くなる。故に、導光板２２０の下辺部における左右方向中央部は、導光板２２０の下辺部における左右両端部夫々よりも熱膨張し易い。
図４には、非熱膨張時の導光板２２０の形状を実線で示し、熱膨張時の導光板２２０の形状を二点鎖線で示している。導光板２２０の下辺部における左右両端部夫々の熱膨張による変形量は、導光板２２０の下辺部における左右方向中央部の熱膨張による変形量よりも小さいため、図４には示していない。
【００３９】
導光板２２０の非熱膨張時には、導光板２２０の下辺部は左右方向の直線状をなす。故に、導光板２２０の下端面と光源部２４との離隔距離は一定である。
一方、導光板２２０の熱膨張時には、導光板２２０の下辺部は、左右方向中央部にて下向きの凸部を生じる。故に、導光板２２０の下端面と光源部２４との離隔距離は左右方向に不均一になる。具体的には、導光板２２０の下端面における左右方向中央部と光源部２４との離隔距離が、導光板２２０の下端面における左右両端部夫々と光源部２４との離隔距離よりも短くなる。
従って、光源部２４から導光板２２０の内部へ入射する光の量に関し、導光板２２０の左右方向中央部に係る入光量は、導光板２２０の左端部（又は右端部）に係る入光量よりも多い。
【００４０】
このため、導光板２２０の面発光が左右方向に不均一になる。具体的には、導光板２２０の左右方向中央部が明るく、左右両端部夫々が暗くなる。
導光板２２０の面発光に係る左右方向の不均一さが光学シート群２１の拡散機能によって解消されない場合、従来のバックライトユニットによる照明は左右方向に不均一になる。従って、表示パネル１１の表示領域の明るさが左右方向に不均一になる。
【００４１】
バックライトユニット１２に関しても、光源部２４の中央部の温度は、光源部２４の左端部（又は右端部）の温度よりも高い。故に、導光板２２の下辺部における左右方向中央部は、導光板２２の下辺部における左右両端部夫々よりも熱膨張し易い。
図１〜図３には、非熱膨張時／熱膨張時の導光板２２の形状と光源部２４から導光板２２への入光とを実線／二点鎖線で示している。導光板２２の下辺部における左右両端部夫々の熱膨張による変形量は、導光板２２の下辺部における左右方向中央部の熱膨張による変形量よりも小さいため、図１〜図３には示していない。
【００４２】
導光板２２の非熱膨張時には、導光板２２の下辺部は凹部２２１を有する。故に、導光板２２の下端面２２ｃと光源部２４との離隔距離は不均一である。
一方、導光板２２の熱膨張時には、導光板２２の下辺部における左右方向中央部の膨張部分が凹部２２１を補完するかたちで、導光板２２の下辺部は左右方向の直線状をなす。故に、導光板２２の下端面２２ｃと光源部２４との離隔距離は一定になる。
従って、光源部２４から導光板２２の内部へ入射する光の量に関し、導光板２２の左右方向中央部に係る入光量と、導光板２２の左端部（又は右端部）に係る入光量とが同程度になる。換言すれば、導光板２２の内部への入光量が左右方向に均一になる。
【００４３】
このため、導光板２２の面発光が左右方向に均一になる。故に、バックライトユニット１２による照明は左右方向に不均一になる。従って、表示パネル１１の表示領域は左右方向に均一に明るくなる。
【００４４】
以上のようなバックライトユニット１２を備える表示装置１は、表示パネル１１の表示領域が左右方向に均一に明るいため、表示領域に表示される映像の画質が向上する。
とはいえ、表示装置１が使用開始され、非熱膨張状態の導光板２２が光源部２４の発熱を受けて完全に膨張し終えるまでの間は、導光板２２の下端面２２ｃと光源部２４との離隔距離は不均一である。また、熱膨張状態の導光板２２は、表示装置１の使用終了後、自然冷却によって収縮する。従って、表示装置１は、長時間連続的に使用される用途、又は、導光板２２が大幅に収縮しない程度の時間間隔で断続的に使用される用途等に適している。
【００４５】
なお、バックライトユニット１２が導光板２２０を備えている場合、光源部２４のＬＥＤ基板２４２に替えて、左右方向中央部が下方へ湾曲しているＬＥＤ基板、又は左右方向中央部が左右両端部よりも下方に位置する階段状に設けられているＬＥＤ基板等を備えていてもよい。このような構成であれば、非熱膨張時における導光板２２０の左右方向中央部と光源部２４の中央部とが相対的に離隔し、導光板２２０の左右両端部と光源部２４の両端部とが相対的に接近するため、熱膨張時における導光板２２０と光源部２４との離隔距離を一定にし、延いては光源部２４から導光板２２０の内部への入光量を左右方向に均一化することができる。
しかしながら、このようなＬＥＤ基板は一般的ではない。しかも、ＬＥＤ基板の配置スペースが上下方向に増大してしまう。従って、本実施の形態のように、導光板２２を用いる方が有利である。
【００４６】
本実施の形態では、光源部２４の温度が左右対称であるため、導光板２２も左右対称形状になしてある。故に、光源部２４の温度が左右非対称であれば、導光板２２も左右非対称形状になしてあってもよい。
また、本実施の形態では、光源部２４は、導光板２２の下端面２２ｃに対向配置されている。しかしながら、バックライトユニット１２は、導光板２２の下端面２２ｃに替えて、又は導光板２２の下端面２２ｃに対向配置された光源部２４と共に、導光板２２の上端面に対向配置された光源部２４を備えていてもよい。この場合、導光板２２の上辺部に、凹部２２１に相当するものを設ければよい。
【００４７】
実施の形態  ２．
図５は、本発明の実施の形態２に係るバックライトユニット１２が備える導光板２２及び光源部２４の位置関係を模式的に示す正面図である。図５は、実施の形態１の図３に対応する。ただし、反射シート２３の図示は省略している。
本実施の形態のバックライトユニット１２は、実施の形態１のバックライトユニット１２と略同様の構成である。以下では、実施の形態１との差異について説明し、その他、実施の形態１に対応する部分には同一符号を付してそれらの説明を省略する。
【００４８】
一般に、表示パネル１１の表示領域の左右両端部には、左右方向中央部に比べて、重要な映像が表示されることが少ない。故に、ユーザによっては、表示領域が左右方向に全面的に均一に明るいことよりも、重要な映像が表示される範囲が均一に明るいことを所望する場合がある。このようなユーザにとっては、表示領域の左右両端部は、従来通り左右方向中央部よりも比較的暗い方が好ましい。
このために、本実施の形態の導光板２２は、実施の形態１の導光板２２とは異なり、凹部２２１を有していない。
【００４９】
導光板２２の横長さを横長さＷとした場合、導光板２２の下辺部には、左右両端部から距離｛Ｗ／９｝の位置に、凸部２２２，２２２が設けてある。凸部２２２，２２２間は凹部２２３であり、凸部２２２，２２２よりも左側及び右側は凹部２２４，２２４である。
従って、非熱膨張時の導光板２２の下端面２２ｃと光源部２４との離隔距離に関し、導光板２２の下端面２２ｃにおける左右方向中央部（即ち凹部２２３）と光源部２４の中央部との離隔距離、及び、導光板２２の下端面２２ｃにおける左右両端部（即ち凹部２２４，２２４）と光源部２４の両端部との離隔距離は、何れも最長である。
【００５０】
このような導光板２２を用いた場合、導光板２２の面発光は、左右両端部の狭い範囲が比較的暗く、左右方向中央部の広い範囲が比較的明るく、且つ明るさが均一になる。この結果、表示パネル１１の表示領域の明るさをユーザの所望するものにすることができる。
【００５１】
実施の形態  ３．
図６は、本発明の実施の形態３に係るバックライトユニット１２が備える導光板２２及び光源部２４の位置関係を模式的に示す正面図である。図６は、実施の形態２の図５に対応する。
本実施の形態のバックライトユニット１２は、実施の形態２のバックライトユニット１２と略同様の構成である。以下では、実施の形態２との差異について説明し、その他、実施の形態２に対応する部分には同一符号を付してそれらの説明を省略する。
実施の形態２の場合、凸部２２２，２２２の配置位置は、導光板２２の左右両端部から距離｛Ｗ／９｝の位置であるが、本実施の形態の場合、凸部２２２，２２２の配置位置は、導光板２２の左右両端部から距離｛Ｗ／４｝の位置である。
【００５２】
このような導光板２２を用いた場合も、導光板２２の面発光は、左右両端部が比較的暗く、左右方向中央部が比較的明るく、且つ明るさが均一になる。ただし、左右両端部の比較的暗い範囲は、実施の形態２の場合よりも広く、左右方向中央部が比較的明るい範囲は、実施の形態２の場合よりも狭い。
【００５３】
実施の形態２，３からわかるように、導光板２２の形状を適切に設計することによって、導光板２２の面発光を、必要な範囲において均一にすることができる。故に、バックライトユニット１２は必要な範囲を均一に照明することができる。この結果、表示装置１は、表示パネル１１の表示領域に表示される映像の画質を、ユーザの望む通りに向上させることができる。
【００５４】
実施の形態  ４．
図７は、本発明の実施の形態４に係るバックライトユニット１２が備える導光板２２及び光源部２４の位置関係を模式的に示す正面図である。図７は、実施の形態１の図３に対応する。ただし、反射シート２３の図示は省略している。
本実施の形態のバックライトユニット１２は、実施の形態１のバックライトユニット１２と略同様の構成である。以下では、実施の形態１との差異について説明し、その他、実施の形態１に対応する部分には同一符号を付してそれらの説明を省略する。
【００５５】
実施の形態１のバックライトユニット１２は、導光板２２の下方に光源部２４が配されているエッジライト方式である。
一方、本実施の形態のバックライトユニット１２は、導光板２２の左右両側方に光源部２５，２５が配されているサイドエッジライト方式である。
このため、バックライトユニット１２は、実施の形態１の光源部２４及びヒートシンク１４に替えて、光源部２５，２５及び光源部２５，２５夫々に係る排熱を担う図示しないヒートシンクを備えている。
また、導光板２２は、実施の形態１の導光板２２とは異なり、凹部２２１に替えて、凹部２２５，２２５を有している。
【００５６】
各光源部２５は、光源部２４のＬＥＤ２４１，２４１，…及びＬＥＤ基板２４２と略同様のＬＥＤ２５１，２５１，…及びＬＥＤ基板２５２を備える。
ＬＥＤ基板２５２は、上下方向に長い縦姿勢の矩形状になしてある。ＬＥＤ基板２５２は、一面を導光板２２の側端面（左側端面又は右側端面）に向けて配されている。
ＬＥＤ２５１，２５１，…は、ＬＥＤ基板２５２の一面にて上下方向に一列に等配実装してある。ＬＥＤ２５１，２５１，…と導光板２２の側端面とは、適長離隔して対向配置されている。
光源部２５の温度は上下方向に不均一である。また、光源部２５の温度は上下対称である。
【００５７】
非熱膨張時の導光板２２の横長さは上下方向に不均一である。このために、導光板２２の左辺部における上下方向中央部は、右向きの凹状になしてある。同様に、導光板２２の右辺部における上下方向中央部は、左向きの凹状になしてある。凹部２２５，２２５は、導光板２２の左右両辺部における凹状の部分である。
光源部２５，２５が発した光は、導光板２２の左右両側端面を透過して導光板２２の内部に入射する。
【００５８】
以上のようなバックライトユニット１２及び表示装置１は、実施の形態１のバックライトユニット１２及び表示装置１と同様の作用効果を、上下方向に奏する。
光源部２５，２５の発光時の発熱に起因する導光板２２の熱膨張によって、導光板２２の左右両辺部から凹部２２５，２２５が失われ、光源部２５，２５と導光板２２の左右両側端面との離隔距離が一定になる。従って、導光板２２の内部への入光量が、上下方向に均一になる。
このため、導光板２２の面発光が上下方向に均一になる。故に、バックライトユニット１２による照明は上下方向に均一になる。従って、表示パネル１１の表示領域は上下方向に均一に明るくなる。
【００５９】
以上のようなバックライトユニット１２を備える表示装置１は、表示パネル１１の表示領域が上下方向に均一に明るいため、表示領域に表示される映像の画質が向上する。
なお、バックライトユニット１２は、左側（又は右側）の光源部２５のみを備えている構成でもよい。この場合、導光板２２の右側（又は左側）の凹部２２５を設ける必要はない。
【００６０】
実施の形態  ５．
図８は、本発明の実施の形態５に係るバックライトユニット１２が備える導光板２２及び光源部２４の位置関係を模式的に示す正面図である。図８は、実施の形態１の図３に対応する。
本実施の形態のバックライトユニット１２は、実施の形態１のバックライトユニット１２と略同様の構成である。以下では、実施の形態１との差異について説明し、その他、実施の形態１に対応する部分には同一符号を付してそれらの説明を省略する。
【００６１】
光源部２４の左端部より左側（又は右端部より右側）にＬＥＤ２４１は存在しない。一方、光源部２４の中央部の左右方向両側には、ＬＥＤ２４１，２４１，…が存在している。故に、光源部２４の中央部における明るさは、光源部２４の左端部（又は右端部）における明るさよりも大きい。換言すれば、光源部２４の明るさは左右方向に不均一である。また、光源部２４の明るさは左右対称である。
【００６２】
光源部２４の中央部における明るさと、光源部２４の左端部及び右端部夫々における明るさとの差異が大きい場合、導光板２２の下端面２２ｃと光源部２４との離隔距離を一定にしても、導光板２２の面発光に係る左右方向の不均一さは解消されない。何故ならば、相対的に明るい光源部２４の中央部から導光板２２の左右方向中央部の内部へ入射する光の量は、相対的に暗い光源部２４の両端部から導光板２２の左右両端部の内部へ入射する光の量よりも多いからである。
【００６３】
本実施の形態の導光板２２は、熱膨張時であっても凹部２２１を有する。ただし、熱膨張時の凹部２２１は、非熱膨張時の凹部２２１よりも浅い凹状をなす。
つまり、本実施の形態においては、導光板２２の熱膨張時／非熱膨張時を問わず、光源部２４の比較的高温且つ明るい部分から導光板２２の下端面２２ｃまでは遠く、光源部２４の比較的低温且つ暗い部分から導光板２２の下端面２２ｃまでは近い。故に、導光板２２の内部への入光量を左右方向に均一にすることができる。
【００６４】
本発明の実施の形態に係る照明装置は、表示装置１に組み込まれるバックライトユニット１２のようなものに限定されない。例えば、照明装置は、携帯電話機又は携帯情報端末装置等が備える表示部のバックライトユニットとして構成されていてもよい。或いは、照明装置は、シーリングライト又は壁掛け照明器具等として構成されていてもよい。シーリングライトとして構成されている場合、例えば導光板が正面を下向きにして横姿勢で配されていてもよい。
【００６５】
今回開示された実施の形態は、全ての点で例示であって、制限的なものではないと考えられるべきである。本発明の範囲は、上述した意味ではなく、請求の範囲と均等の意味及び請求の範囲内での全ての変更が含まれることが意図される。
また、本発明の効果がある限りにおいて、表示装置１又はバックライトユニット１２に、実施の形態１〜５に開示されていない構成要素が含まれていてもよい。
各実施の形態に開示されている構成要件（技術的特徴）はお互いに組み合わせ可能であり、組み合わせによって新しい技術的特徴を形成することができる。
【符号の説明】
【００６６】
１    表示装置
１１  表示パネル
１２  バックライトユニット（照明装置）
２２  導光板
２４，２５  光源部
【図１】
2015046239.tif 000003
【図２】
2015046239.tif 000004
【図３】
2015046239.tif 000005
【図４】
2015046239.tif 000006
【図５】
2015046239.tif 000007
【図６】
2015046239.tif 000008
【図７】
2015046239.tif 000009
【図８】
2015046239.tif 000010
【手続補正書】
【提出日】平成28年3月9日(2016.3.9)
【手続補正１】
【補正対象書類名】特許請求の範囲
【補正対象項目名】全文
【補正方法】変更
【補正の内容】
【特許請求の範囲】
【請求項１】
内部に入射した光を一面から出射させる導光板と、
該導光板の周面に対向配置されている光源部と
を備える照明装置において、
前記光源部の非発光時には、前記光源部と前記周面との離隔距離は、前記光源部の前記導光板の周縁方向の中央部と前記周面における前記中央部に対応する部分との離隔距離が最長であり、
前記光源部の発光時には、前記光源部の発熱によって熱膨張を起こした前記導光板の前記周面が前記光源部に接近して、前記光源部と前記周面との離隔距離が均一になることを特徴とする照明装置。
【請求項２】
前記光源部の非発光時には、前記導光板の周縁部における前記中央部に対応する部分は凹状であることを特徴とする請求項１に記載の照明装置。
【請求項３】
前記光源部の非発光時には、前記光源部の前記周縁方向の中央部と前記周面における前記中央部に対応する部分との離隔距離は、前記周縁方向の中心部分に係る離隔距離が最長であり、該中心部分から前記周縁方向の両側に向けて連続的に又は段階的に短くなるようにしてあることを特徴とする請求項１又は２に記載の照明装置。
【請求項４】
請求項１から３の何れかひとつに記載の照明装置と、
該照明装置によって背面側から照明される表示パネルと
を備えることを特徴とする表示装置。
【国際調査報告】
2015046239.tif 000011
2015046239.tif 000012